(57)【要約】      （修正有）【課題】棚板における物品載置部と物品下部支持部との角部に溜まった埃を容易に処理することが可能な収納什器を提供する。【解決手段】物品を収納する収納部を有する収納枠２と、収納枠２の内周面に支持されて収納部Ｒに配置され、鉛直面に対して傾斜する物品載置面３１ａが形成された物品載置板３１を有する棚板３と、を備え、棚板３は、物品載置板３１の下部から前側に向けて突出する物品下部支持部３２を有し、物品載置板３１と物品下部支持部３２との角部３ｄには、物品載置板３１と物品下部支持部３２の少なくとも一方に棚板３の下方空間に連通するように形成された下方開口部３３が配置された構成とする。【選択図】図２
2020103853.tif 000002
【特許請求の範囲】
【請求項１】
物品を収納する収納部を有する収納枠と、該収納枠の内周面に支持されて前記収納部に配置され、鉛直面に対して傾斜する物品載置面が形成された物品載置部を有する棚板と、を備え、
前記棚板は、前記物品載置部の下部から前側に向けて突出する物品下部支持部を有し、
前記物品載置部と前記物品下部支持部との角部には、前記物品載置部と前記物品下部支持部の少なくとも一方に前記棚板の下方空間に連通するように形成された下方開口部が配置されていることを特徴とする収納什器。
【請求項２】
前記下方開口部は、前記棚板の幅方向の両端部に形成されていることを特徴とする請求項１に記載の収納什器。
【請求項３】
前記下方開口部は、前記物品載置部に形成される第一下方開口部と、前記物品下部支持部に形成される第二下方開口部と、が互いに連通して形成されていることを特徴とする請求項１又は２に記載の収納什器。
【請求項４】
前記棚板の下方には、前記収納枠に支持され水平に延在する連結部材が設けられ、
前記連結部材には、前記下方空間に連通する開口穴が形成され、
前記開口穴は、前記下方開口部の下方に配置されていることを特徴とする請求項１乃至３のいずれか１項に記載の収納什器。
【請求項５】
前記棚板の下方には、前記収納枠に支持され水平に延在する連結部材が設けられ、
前記連結部材と前記収納枠との間には、前記下方空間に連通する開口穴が形成され、
前記開口穴は、前記下方開口部の下方に配置されていることを特徴とする請求項１乃至３のいずれか１項に記載の収納什器。
【発明の詳細な説明】
【技術分野】
【０００１】
本発明は、収納什器に関する。
【背景技術】
【０００２】
従来、用途の異なる書類を整理する収納用キャビネットとして、例えば特許文献１に示されるような、底板と、什器の長手方向と短手方向との両方に立設される立壁部とにより形成される上方開口型の空間において、立壁部に仕切り板を架設させて支持した構成のものが知られている。
【０００３】
また、例えば銀行や病院等の待ち合わせロビー等で使用され、雑誌等を取り出し自在に収納するマガジンラック等の収納什器が知られている（例えば、特許文献２参照）。
特許文献２には、比較的高さのある書籍を、表紙を傾斜させた状態で展示できるように載置するための什器であって、傾斜状態の雑誌背面支持面と雑誌下面支持面とからなる側面視Ｌ字状に形成された棚板を備え、かつこれら雑誌背面支持面と雑誌下面支持面が前後方向に複数連結された状態で側板に支持された構成となっている。
【先行技術文献】
【特許文献】
【０００４】
【特許文献１】実開昭５９−０６４０５０号公報
【特許文献２】特開２０１７−１９２６１９号公報
【発明の概要】
【発明が解決しようとする課題】
【０００５】
しかしながら、従来のマガジンラック等の収納什器では、以下のような問題があった。
すなわち、上述した特許文献２に示すような従来の収納什器では、雑誌を使用者の目の高さに近い位置から正面に向かって視認できるようにするため、雑誌を垂直に近い状態で支持ように構成される。これに対し、雑誌の上方からの視認性を向上させる場合には、複数の棚板を上述した特許文献１に開示されるような什器に設けたうえで、鉛直方向に対してより大きく傾斜させる構成を採用することが考えられる。
この場合には、棚板上の埃が、傾斜によってより下方に移動し、雑誌背面支持部と雑誌下部支持部との結節点に溜まりやすくなる。この結節点に溜まっている埃によって雑誌自体が汚れてしまうとともに、収納什器としての外観や体裁を損なうことから、その点で改善の余地があった。
【０００６】
本発明は、上述する問題点に鑑みてなされたもので、棚板における物品載置部と物品下部支持部との角部に溜まった埃を容易に処理することが可能となり、外観や体裁を良好に維持できる収納什器を提供することを目的とする。
【課題を解決するための手段】
【０００７】
上記目的を達成するため、本発明に係る収納什器は、物品を収納する収納部を有する収納枠と、該収納枠の内周面に支持されて前記収納部に配置され、鉛直面に対して傾斜する物品載置面が形成された物品載置部を有する棚板と、を備え、前記棚板は、前記物品載置部の下部から前側に向けて突出する物品下部支持部を有し、前記物品載置部と前記物品下部支持部との角部には、前記物品載置部と前記物品下部支持部の少なくとも一方に前記棚板の下方空間に連通するように形成された下方開口部が配置されていることを特徴としている。
【０００８】
本発明では、収納枠の収納部に配置される棚板における物品載置部と物品下部支持部との角部に溜まった埃を、物品載置部と物品下部支持部の少なくとも一方に形成された下方開口部を通じて棚板の下方空間に排出することができる。つまり、前記角部の埃を例えばブラシ等の清掃具を使用して下方開口部側に向けて掃き出すことだけで、清掃作業を容易に行うことができる。そのため、収納什器としての外観や体裁を良好な状態で維持することができる。
【０００９】
また、本発明に係る収納什器は、前記下方開口部は、前記棚板の幅方向の両端部に形成されていることを特徴とする請求項１に記載の収納什器。
【００１０】
このような構成とすることで、清掃具を幅方向の両側へ移動させることで、埃をスムーズに下部開口部を通して下方へ落とすことができ、埃の処理を効率よく行うことができる。
【００１１】
また、本発明に係る収納什器は、前記下方開口部は、前記物品載置部に形成される第一下方開口部と、前記物品下部支持部に形成される第二下方開口部と、が互いに連通して形成されていることが好ましい。
【００１２】
このような構成とすることで、物品載置部と物品下部支持部とにわたって大きな一つの下方開口部を効率よく形成することができる。したがって、この下方開口部を通して容易に埃を棚板の下方に位置する下方空間に排出することにより、什器の外観や体裁を良好に維持することができる。
【００１３】
また、本発明に係る収納什器は、前記棚板の下方には、前記収納枠に支持され水平に延在する連結部材が設けられ、前記連結部材には、前記下方空間に連通する開口穴が形成され、前記開口穴は、前記下方開口部の下方に配置されていることを特徴としてもよい。
【００１４】
この場合には、収納枠の一部に連結部材が設けられるので、什器全体の剛性を向上させることができる。さらに、連結部材には開口穴が形成され、この開口穴が下方開口部の下方に配置されている。そのため、物品載置部と物品下部支持部との角部に溜まった埃を下方開口部から排出すると、その埃はさらに開口穴を通じて下方空間に排出されることになる。
【００１５】
また、本発明に係る収納什器は、前記棚板の下方には、前記収納枠に支持され水平に延在する連結部材が設けられ、前記連結部材と前記収納枠との間には、前記下方空間に連通する開口穴が形成され、前記開口穴は、前記下方開口部の下方に配置されていることを特徴としてもよい。
【００１６】
このような構成により、収納枠の一部に連結部材が設けられるので、什器全体の剛性を向上させることができる。さらに、連結部材と収納枠との間に開口穴が形成され、この開口穴が下方開口部の下方に配置されている。そのため、物品載置部と物品下部支持部との角部に溜まった埃を下方開口部から排出すると、その埃はさらに開口穴を通じて下方空間に排出されることになる。
【発明の効果】
【００１７】
本発明の収納什器によれば、棚板における物品載置部と物品下部支持部との角部に溜まった埃を容易に処理することが可能となり、外観や体裁を良好に維持できる。
【図面の簡単な説明】
【００１８】
【図１】本発明の実施形態によるマガジンラックを斜め前方から見た斜視図である。
【図２】図１に示すＡ−Ａ線断面図であって、マガジンラックの一方の側面板を省略した斜視断面図である。
【図３】図２に示すマガジンラックを左右方向から見た側断面図である。
【図４】マガジンラックを下方からみた平面図である。
【図５】マガジンラックを上方からみた平面図である。
【図６】図５に示すＢ−Ｂ線断面図である。
【図７】図５に示すＣ−Ｃ線断面図であって、凹溝と棚板の係合状態を示す要部拡大図である。
【図８】棚板を下方からみた平面図である。
【図９】棚板の頂部に形成される下方開口部の構成を示す要部拡大図である。
【図１０】棚板ユニットを斜め前方から見た斜視図である。
【図１１】（ａ）〜（ｄ）は、変形例による下方開口の形状を示す要部拡大図である。
【発明を実施するための形態】
【００１９】
以下、本発明の実施形態による収納什器について、図面に基づいて説明する。
【００２０】
図１〜図６に示す本実施形態によるマガジンラック１（収納什器）は、例えば銀行や病院等の待ち合わせロビーの床に載置した状態で使用され、雑誌（物品）を斜めに立て掛けて取りだし自在に収納するものである。
【００２１】
マガジンラック１は、雑誌を収納する収納部Ｒを有する収納枠２と、収納枠２の内周面に支持され収納部Ｒに配置される複数（ここでは３枚）の棚板３と、を備えている。
【００２２】
ここで、本実施形態では、マガジンラック１の上下方向Ｘ３とし、棚板３の配列方向（本実施形態では短辺方向に相当）を左右方向Ｘ１とし、上方から見た平面視で左右方向Ｘ１に直交する方向を前後方向Ｘ２（本実施形態では長辺方向に相当）という。また、マガジンラック１の前後方向Ｘ２において、棚板３が倒れる方向側を後方、後側といい、その反対側を前方、前側という。
【００２３】
収納枠２は、床面Ｆ上に設置されるとともに収納部Ｒの前後方向Ｘ２の両側に対向して配置された前面板２１（前壁部）、後面板２２（後壁部）と、前面板２１及び後面板２２を左右方向Ｘ１の両側から覆う一対の側面板２３、２３と、一対の側面板２３、２３の下方を覆う底面板２４（連結部材）と、を備えている。
収納枠２は、前面板２１、後面板２２、及び一対の側面板２３、２３によって上面視で矩形状に囲まれた形状を呈している。前面板２１、後面板２２、及び一対の側面板２３、２３は、それぞれ平板状で平面視矩形に形成されている。
【００２４】
側面板２３は、前面板２１及び後面板２２よりも上下方向の長さが短く設定されている。前面板２１、後面板２２、及び一対の側面板２３、２３の上端同士は、同じ高さとなるように設定されている。側面板２３の下方には、床面Ｆとの間に埃排出空間Ｋ（下方空間）が形成されている。
そして、一対の側面板２３は、それぞれの前端２３ａ及び後端２３ｂが前面板２１及び後面板２２に対してダボ係合と接着により接合されている。
【００２５】
前面板２１と後面板２２は、床面Ｆ上に載置され、下端にアジャスター、あるいはキャスターが装着されている。
【００２６】
後面板２２は、前面板２１と同様の形状をなしている。後面板２２の内面２２ａの上部には左右方向Ｘ１の全体わたって延びて収納部Ｒ側（前面板２１側）に向けて開口する凹溝２５が形成されている。
図７に示すように、凹溝２５の溝深さＤは、複数配列される棚板３のうち最も後方に位置する棚板３（第三棚板３Ｃ）を凹溝２５内に進入させて当接させた状態で、その第三棚板３Ｃの後端部３ａが凹溝２５の天面２５ａによって上方から覆われる寸法に設定されている。つまり、第三棚板３Ｃの前頂端３ｂは、凹溝２５の内側に位置して、凹溝２５よりも上側に位置する後面板２２の内面２２ａよりも収納部Ｒ側に張り出さないようになっている。
【００２７】
底面板２４は、図３に示すように、前端部２４ａと後端部２４ｂがそれぞれ前面板２１及び後面板２２の上下方向の略中央部に対してダボ係合と接着により接合されている。底面板２４の左右方向Ｘ１の長さは、一対の側面板２３、２３同士の離間寸法よりも小さくなっている。図４及び図６に示すように、底面板２４の左右方向Ｘ１の両側端部２４ｃ、２４ｃとそれぞれに対向する側面板２３との間には、一定の間隔で前後方向Ｘ２に延在する埃排出開口２６（開口穴）が形成されている。
【００２８】
収納枠２は、上下方向Ｘ３で底面板２４を挟んだ上方に前記収納部Ｒが形成され、下方に埃排出空間Ｋが形成されている。埃排出空間Ｋは、前後方向Ｘ２には前面板２１と後面板２２が配置され、左右方向Ｘ１が開放された領域である。収納部Ｒと埃排出空間Ｋとは左右両側に位置する埃排出開口２６を通じて連通されている。
【００２９】
各棚板３は、図２、図３、図６及び図８に示すように、収納部Ｒにおいて斜め上方に向けて配置される物品載置面３１ａを有する物品載置板３１（物品載置部）と、物品載置板３１の下端から直交方向で前方側に延ばされた物品下部支持部３２と、を備えている。棚板３は、物品載置板３１と物品下部支持部３２とによって左右方向Ｘ１からみた側面視でＬ字状に形成されている。
ここで、各棚板３において、前方から後方に配列される順に第一棚板３Ａ、第二棚板３Ｂ、第三棚板３Ｃとする。
【００３０】
各棚板３Ａ、３Ｂ、３Ｃは、図３に示すように、それぞれの物品載置板３１を平行に配置し、かつそれぞれの頂部３ｄが同一平面上に配置される状態で一体に接合され棚板ユニット３０を形成している。第二棚板３Ｂは、物品下部支持部３２の前端部３２ａが第一棚板３Ａの物品載置板３１の後面３１ｂに当接しダボ係合と接着により接合されている。第三棚板３Ｃは、物品下部支持部３２の前端部３２ａが第二棚板３Ｂの物品載置板３１の後面３１ｂに当接しダボ係合と接着により接合されている。
【００３１】
棚板ユニット３０は、収納部Ｒ内に配置され、各棚板３Ａ、３Ｂ、３Ｃの頂部３ｄが底面板２４の上面２４ｄに載置された状態で下方から支持されている。つまり、物品載置板３１と物品下部支持部３２とによって形成される谷部分が各棚板３Ａ、３Ｂ、３Ｃの最下点に位置する。各物品載置板３１は、一対の側面板２３、２３に対して当接しダボ係合と接着により接合されている。そして、第一棚板３Ａの物品下部支持部３２の前端部３２ａは前面板２１の内面２１ａに対して非固着により当接した状態で支持されている。第三棚板３Ｃの物品載置板３１の後端部３ａは、上述したように後面板２２の凹溝２５内で非固着により当接した状態で支持されている。
棚板ユニット３０が収納部Ｒに配置されると、物品載置面３１ａは斜めに向けた状態で配置される。そして、物品載置板３１と物品下部支持部３２の内角側の領域（物品載置領域Ｍ）には、本実施形態では雑誌等が物品載置面３１ａに立て掛けるようにして載置される。
【００３２】
各棚板３Ａ、３Ｂ、３Ｃは、図８、図９及び図１０に示すように、各頂部３ｄの左右方向Ｘ１の両端部に下方開口部３３が形成されている。下方開口部３３は、物品載置板３１の下端部に形成される第一切欠開口部３３Ａと、物品下部支持部３２の基端部に形成される第二切欠開口部３３Ｂと、からなる。下方開口部３３の切欠形状は、上面視で全体にわたって湾曲した形状となっている。
下方開口部３３によって形成される開口は、図４及び図６に示すように、上述した底面板２４と側面板２３との間に形成される埃排出開口２６の上方に重なる位置となっている。つまり、棚板ユニット３０における物品載置面３１ａ側の物品載置領域Ｍと、埃排出開口２６と、埃排出空間Ｋとが連通している（図３参照）。
【００３３】
ここで、第一切欠開口部３３Ａと第二切欠開口部３３Ｂの大きさ、形状としては、例えばそれぞれ３０πの四分円を形成している。すなわち、棚板外側面と側板内側面との接触面積確保するために、棚板３の長辺部の長さと短辺部の長さとを合算した値に対して、半分程度まで切り欠きの範囲を取ることが可能である。
【００３４】
棚板ユニット３０では、図９及び図１０に示すように、物品載置板３１と物品下部支持部３２との接合部３ｅに溜まった埃を下方開口部３３から下方に排出することができる。なお、図９、図１０の矢印は、埃の移動向きを示している。
【００３５】
次に、上述したマガジンラック１の作用について、図面に基づいて詳細に説明する。
本実施形態によるマガジンラック１では、図３、図９及び図１０に示すように、収納枠２の収納部Ｒに配置される棚板３における物品載置板３１と物品下部支持部３２との角部３ｅに溜まった埃を、物品載置板３１と物品下部支持部３２に形成された下方開口部３３を通じて棚板３の埃排出空間Ｋに排出することができる。つまり、前記角部３ｅの埃を例えばブラシ等の清掃具を使用して下方開口部３３側に向けて掃き出すことだけで、清掃作業を容易に行うことができる。そのため、収納什器としての外観や体裁を良好な状態で維持することができる。
【００３６】
また、本実施形態では、下方開口部３３が棚板３の幅方向の両端部に形成されているので、清掃具を幅方向の両側へ移動させることで、埃をスムーズに下部開口部３３を通して下方へ落とすことができ、埃の処理を効率よく行うことができる。
【００３７】
また、本実施形態では、下方開口部３３は物品載置板３３に形成される第一下方開口部３３Ａと、物品下部支持部３２に形成される第二下方開口部３３Ｂとが互いに連通して形成されているので、物品載置板３１と物品下部支持部３２とにわたって大きな一つの下方開口部３３を効率よく形成することができる。
したがって、この下方開口部３３を通して容易に埃を棚板３の下方に位置する埃排出空間Ｋに排出することにより、什器の外観や体裁を良好に維持することができる。
【００３８】
また、本実施形態では、収納枠２の一部に底面板２４が設けられるので、什器全体の剛性を向上させることができる。さらに、底面板２４と収納枠２の側面板２３との間に埃排出開口２６が形成され、この埃排出開口２６が下方開口部３３の下方に配置されている。そのため、物品載置板３１と物品下部支持部３２との角部３ｄに溜まった埃を下方開口部３３から排出すると、その埃はさらに埃排出開口２６を通じて埃排出空間Ｋに排出されることになる。
【００３９】
上述のように本実施形態によるマガジンラック１では、棚板３における物品載置板３１と物品下部支持部３２との角部３ｄに溜まった埃を容易に処理することが可能となり、外観や体裁を良好に維持できる。
【００４０】
以上、本発明による収納什器の実施形態について説明したが、本発明は上記の実施形態に限定されるものではなく、その趣旨を逸脱しない範囲で適宜変更可能である。
【００４１】
例えば、上記実施形態では、棚板の下方において、収納枠に支持され水平に延在する連結部材が設けられ、連結部材には、下方空間に連通する開口穴が形成され、開口穴は、下方開口部の下方に配置されていてもよい。
この場合には、収納枠の一部に連結部材が設けられるので、什器全体の剛性を向上させることができる。さらに、連結部材には開口穴が形成され、この開口穴が下方開口部の下方に配置されている。そのため、物品載置部と物品下部支持部との角部に溜まった埃を下方開口部から排出すると、その埃はさらに開口穴を通じて下方空間に排出されることになる。
【００４２】
また、棚板３に形成される下方開口部３３の形状は上述した実施形態に限定されることはない。例えば、図１１（ａ）〜（ｄ）に示す変形例のような下方開口部としてもよい。図１１（ａ）に示す第一変形例による下方開口部３４は、頂部３ｄを含まずに物品載置板３１のみに設けられている。図１１（ｂ）に示す第二変形例による下方開口部３５は、頂部３ｄを含まずに物品下部支持部３２のみに設けられている。図１１（ｃ）に示す第三変形例による下方開口部３６は、頂部３ｄまで開口した状態で物品下部支持部３２のみに設けられている。図１１（ｄ）に示す第４変形例による下方開口部３７は、頂部３ｄまで開口した状態で物品載置板３１のみに設けられている。
【００４３】
また、上記実施形態では、棚板ユニット３０の各棚板３Ａ、３Ｂ、３Ｃが側面板２３にダボ係合及び接着により支持されているが、このような支持状態を省略することも可能である。
【００４４】
また、本実施形態のような棚板ユニット３０であることに限定されることはない。例えば、棚板ユニット３０の棚板３の数量は、本実施形態のように３つであることに制限されることはなく、任意に設定することが可能である。
【００４５】
また、本実施形態では、収納枠２として、底面板２４を備えた構成としているが、この底面板２４を省略することも可能である。
さらに、本実施形態では、棚板３と底面板２４に開口部を形成しているが、このような開口部を省略してもよい。
【００４６】
その他、本発明の趣旨を逸脱しない範囲で、上記した実施形態における構成要素を周知の構成要素に置き換えることは適宜可能である。
【符号の説明】
【００４７】
１  マガジンラック（収納什器）
２  収納枠
３、３Ａ、３Ｂ、３Ｃ  棚板
３ｄ  角部
２１  前面板
２２  後面板
２３  側面板
２４  底面板（連結部材）
２６  埃排出開口（開口穴）
３０  棚板ユニット
３１  物品載置板（物品載置部）
３１ａ  物品載置面
３２  物品下部支持部
３３、３４、３５、３６、３７  下方開口部
３３Ａ  第一下方開口部
３３ｂ  第二下方開口部
Ｋ  埃排出空間（下方空間）
Ｍ  物品載置領域
Ｒ  収納部
Ｘ１  左右方向
Ｘ２  前後方向
Ｘ３  上下方向
Ｆ  床面
【図１】
2020103853.tif 000003
【図２】
2020103853.tif 000004
【図３】
2020103853.tif 000005
【図４】
2020103853.tif 000006
【図５】
2020103853.tif 000007
【図６】
2020103853.tif 000008
【図７】
2020103853.tif 000009
【図８】
2020103853.tif 000010
【図９】
2020103853.tif 000011
【図１０】
2020103853.tif 000012
【図１１】
2020103853.tif 000013